(57)【要約】【課題】  バック類、特にスポーツバックやリュックサックなどは、屋内でも屋内でも様々な場所に置くために、バックが汚れたり、その汚れで別の場所や人を汚してしまうことがある。また、従来のバックのカバーは、必要なときにどこかから取り出してから、取り付けなければならなかった。【解決手段】  本願発明の根本としては、１つの面を２つに分割するように、シートを付与することで、分割した面の一方とシートの片面、反対側の面とシートのもう一方の面による２つの面を、同じ場所に有することが可能になり、本願発明はこのシートを、バック類の接地部分１およびその周部を、抱囲することが可能なように付与して、固定器具６でバック類の接地部分以外の外面で、固定して一体化させることで、同じ場所に２つの接地面を有するとともに、簡単に切り替えが可能なことを特徴とするバック類。【選択図】  図１
2007000590.tif 000002
【特許請求の範囲】
【請求項１】
接地部分を有するバック類において、汚れを防護するシートを、バック類の接地部分とその周部を２つに分割する位置に、条件として、２組に分割した接地部分とその周部を、シートを反転させることで、それぞれ抱囲することが可能な大きさと形状であると同時に、接地部分以外のバック類の外面の、シートを反転させる両側の部分に、固定器具を付設して、固定可能である範囲内で付与して、このシートを一方から他方へ反転させて固定器具で固定することで、同じ場所に２つの接地面を有することを特徴とする、反転するシートにより同じ場所に２つの接地面を有するバック類。
【請求項２】
請求項１において、防護用シートとバック類の側面部分の間に隙間ができたり、そこからほこりなどが入り込む問題を解消するために、防護用シートの縁部と固定器具を、防護用シートの開口部分の上方から抱囲するように、伸縮性のある材料を一部または全部に採用したカバーを環状に、上端をバック類の側面部分に縫合して、付与することを特徴とする、反転するシートにより同じ場所に２つの接地面を有するバック類。
【請求項３】
請求項１において、防護用シートとバック類の側面部分の間に隙間ができたり、そこからほこりなどが入り込む問題を解消するために、伸縮性のある材質を防護用シートの縁部などの一部または、全部に採用することで、隙間が生じる問題を解決することを特徴とする、反転するシートにより同じ場所に２つの接地面を有するバック類。
【発明の詳細な説明】
【技術分野】
【０００１】  本願発明は、接地部分の汚れを防護するシートを、バック類の接地部分に付与して一体化させた、バックに関するものである。
【背景技術】
【０００２】  従来、バックをどこかに置く際には、そのまま直接置いたり、必要なときにどこかからカバーするものを用意して、バックの必要な部分をカバーしていた。【０００３】  なお、本願発明に関する公知技術として次の登録実用新案１を挙げることができる。【０００４】
【登録実用新案１】
登録実用新案第３０１９５６５号
【発明の開示】
【発明が解決しようとする課題】
【０００５】  これは次のような欠点があった。
上述の如く、従来は接地部分が汚れたり、その汚れた部分で他のものを汚してしまったり、必要なときにどこかからカバーするものを用意して、バックの必要な部分をカバーしていた。しかし、例えば電車に乗る際には、ホームなどでは地面に接地させて、電車に乗るときは、床に接地させたり、網棚に乗せたりするが、バックを床に接地させると、他の人の邪魔になったり、網棚に乗せるとバックの接地部分から、汚れが落下して、他の人に迷惑をかけてしまうが、それらに速やかに対応できない欠点があった。
【課題を解決するための手段】
【０００６】  以上の課題を解決するために、本願発明はバックに、汚れ防護用のシートを、接地面とその周部を２つに分割させる位置に、付与させるとともに、バックの外面で脱着可能なように、固定器具を付設して固定して、このシートの片側の面と分割した接地面の一方、シートの反対側の面と分割した接地面のもう一方で、同じ場所に２つの接地面を有することで、バックを置く際に、シートを反転させて、簡単に状況に応じて使い分けを可能にする。
【発明の効果】
【０００７】  本願発明は以上のような構造で、これを使用するときは、バックの接地部分とその周部を、２つに分割するように付設した防護用シートを、２つに分割したバックの接地部分およびその周部の一方を、抱囲するとともに固定器具で釣止させたり、反転させてバックの反対側に釣止させることで、バックの同じ場所に２つの接地面を有することが可能になる。【０００８】  これにより、バックを置く場所が汚れていたり、そうでない場所でバックの接地部分の使い分けが可能になり、バックの接地部分およびその周部を汚したり、汚れたバックが他のものを汚すことを防護する。
【発明を実施するための最良の形態】
【０００９】  以下、本願発明の実施の形態を図面に基づき詳細に説明する。【００１０】  図１は本願発明の実施の形態に係り、図１はその外観斜視図、図２はその側面図、図３はそのＡ−Ａ線断面図、図４はそのバック外面の展開図である。【００１１】  図１、図２に示すように、汚れを防護する防護用シート４を、バック類の接地部分１とその周部を２つに分割する位置に、条件として、２組に分割した接地部分１とその周部を、それぞれ抱囲することが可能な大きさと形状であると同時に、図２に示すように、接地部分以外のバックの外面で防護用シート４をバック類に、固定器具６を付設して、固定可能である範囲内で付与する。【００１２】  防護用シート４とバック類の側面部分２の間に隙間ができたり、そこからほこりなどが入り込む問題を解消するために、防護用シート４の縁部と固定器具６を、防護用シート４の開口部分の上方から抱囲するように、伸縮性のある材料を一部または全部に採用した開口部分用カバー５を環状に、上端をバック類の側面部分２に縫合して付設する。【００１３】  防護用シート４とバック類の側面部分２の間に隙間ができたり、そこからほこりなどが入り込む問題を解消するために、伸縮性のある材質を防護用シート４の縁部などの一部または全部に採用する。
【実施例】
【００１４】  Ｗ＝２００ｍｍ、Ｈ＝３００ｍｍ、Ｄ＝４００ｍｍ、の寸法のスポーツバックにおいて、図２のように、バック類の接地部分１を等分に分割するとともに、両側の側面部分２にまで１００ｍｍ延長した部分を防護用シート縫合部分３とする。様々な汚れからバック類の接地部分１を防護するために、等分に分割した接地部分１の両側で、一方の接地部分１とその周部を、抱囲することが可能な大きさと形状の防護用シート４を図４の防護用シート縫合部分３で縫合する。その防護用シート４の縁部とバック類の側面部分２において一箇所または複数箇所に、フック６を付設して釣止する。【００１５】  図２のように、防護用シート４をバックの側面部分２で固定した状態で、防護用シート４の縁部やフックを抱囲するように、その上方に帯状に伸縮性のある材質の開口部分用カバー５を付設して、防護用シート４の縁部とフック６を抱囲する。【００１６】  尚、本願発明の図示実施形態は、実施形態の一例を示したもので、それのみに限定されるものではなく、変更及び別の構成が可能で、特許請求の範囲で明確に請求されていなくても、本願発明のアイディアにおいて本質的なものである。【００１７】  本実施形態では、図１のような形状のスポーツバックを示したが、別の種類、材質、形状、のバックも可能である。【００１８】  バック類の接地部分１において、防護用シート４を付与するために、分割する位置（防護用シート縫合部分３）及び、接地部分１に対する方向は特に限定されず任意とする。【００１９】  バック類の接地部分１において、防護用シート４の形状、寸法及び材質は特に限定されず任意とする。【００２０】  開口部分用カバー５において、その材質、形状及び寸法は特に限定されず任意とする。【００２１】  バック類の固定器具６において、固定器具６の種類、形状及び寸法は特に限定されず任意とする。
【産業上の利用可能性】
【００２２】  本願発明は、各種のバック類を製造、販売する産業分野で、利用することができる。
【図面の簡単な説明】
【００２３】
【図１】本願発明の実施の形態に係るバックの外観斜視図である。
【図２】図１における側面図である。
【図３】図２におけるＡ−Ａ線断面図である。
【図４】図１におけるバック外面の展開図である。
【符号の説明】
【００２４】    １      接地部分
２      側面部分
３      防護用シート縫合部分
４      防護用シート
５      開口部分用カバー
６      固定器具（
【実施例】ではフック）
７      さげ手
【図１】
2007000590.tif 000003
【図２】
2007000590.tif 000004
【図３】
2007000590.tif 000005
【図４】
2007000590.tif 000006